(57)【要約】【課題】本発明は設定装置の表示画面に複数のノズルの設定情報を全て表示することを課題とする。【解決手段】設定装置６０は、筐体７０の内部に制御装置８０が収納されており、筐体７０の前面７２にはタッチパネル方式の液晶モニタ９０と、カードリーダ１００と、レシート発行機１１０とが設けられている。液晶モニタ９０は、タッチパネル方式の画面を有するため、操作者に対して操作手順をガイダンスしながら設定内容を表示する表示装置と、運転者が表示画面に触れることにより設定情報を入力する入力装置とを兼ねている。制御装置８０は、燃料供給情報の設定操作が完了したとき、液晶モニタ９０の表示画面に選択された当該ノズルの表示釦に当該ノズルに対応する燃料供給情報を略称で表示する表示制御手段を有する。【選択図】図２
2008308209.tif 000002
【特許請求の範囲】
【請求項１】
複数のノズルから燃料を供給する際の燃料供給情報を表示する表示装置と、該表示装置に表示される表示画面に応じて各ノズル毎の供給すべき燃料供給情報の入力操作を行う入力手段とを有する燃料供給情報設定装置において、
前記燃料供給情報の設定操作が完了したとき、前記表示画面に選択された当該ノズルの表示釦に当該ノズルに対応する燃料供給情報を略称で表示する表示制御手段を有することを特徴とする燃料供給情報設定装置。
【請求項２】
前記表示制御手段は、設定操作が行なわれていないノズルの表示釦に燃料名のみを表示し、設定操作が完了した時点で前記燃料名を前記略称に切り替えることを特徴とする請求項１に記載の燃料供給情報設定装置。
【請求項３】
前記請求項１または２に記載の燃料供給情報設定装置と、
前記燃料供給情報設定装置により設定された燃料供給情報に基づいて選択されたノズルによる燃料供給を可能にする燃料供給装置と、
を備えたことを特徴とする燃料供給システム。
【発明の詳細な説明】
【技術分野】
【０００１】
本発明は燃料供給情報設定装置及び燃料供給システムに係り、特に給油条件を設定する際の燃料供給情報を表示する表示装置を有する燃料供給情報設定装置及び燃料供給システムに関する。
【背景技術】
【０００２】
例えば、多数のトラックやバス、タクシー等-の車両を所有する会社では、自社の敷地内に給油装置（燃料供給装置）を設置し、運転者が車両の燃料タンクに給油操作を行なうようにしている。この種の自家用の燃料供給システムでは、燃料供給情報設定装置(以下「設定装置」という)により給油すべき給油ノズル(油種)及び給油量などの燃料供給情報を設定することにより、選択された給油ノズルによる給油が可能になる。尚、給油所のように給油量に応じた給油金額の支払いが行なわれないので、設定装置において、給油金額や支払い方法を設定する必要はない。
【０００３】
運転者(操作者)は、設定装置に設けられた表示装置の表示画面を確認しながら給油すべき車両のエンジンに応じた油種を供給することができる未使用の給油ノズル（ノズル番号）を選択し、選択した給油ノズル（ノズル番号）に対する給油量（満タン給油またはプリセット給油）の設定操作を行なう。一方、設定装置においては、設定操作が完了された使用中の給油ノズルだけでなく設定操作が行なわれていない未使用の給油ノズルの状態も表示しなければならないので、表示画面に多数の給油ノズルの全ての情報を表示することが要求されている。
【０００４】
また、設定装置は、給油装置と別体に設けられており、１台の設定装置により複数の給油装置への設定操作が行えるようになっている（特許文献１を参照）。例えば、１台の給油装置に２〜４本の給油ノズルが接続され、給油装置が２台設置されている場合は、１台の設定装置で４〜８本の給油ノズルに対する設定が行える。尚、給油所用のシステムでは、ＰＯＳ装置が各給油装置及び設定装置を管理しているが、給油金額の支払いを行なわない自家用システムでは、ＰＯＳ装置が設けられていない。
【０００５】
また、設定装置により設定操作が完了した給油ノズルは、全て給油操作が可能なため、同じ給油装置に設けられた別の給油ノズルでも設定操作が完了していれば同時に給油を行なうことが可能である。
【特許文献１】特開平４−２０１８９８号公報
【発明の開示】
【発明が解決しようとする課題】
【０００６】
しかしながら、設定装置では、法規制により給油を行なう当該給油ノズルだけでなく他の給油ノズルの設定内容を表示し続けなければならないため、複数の給油ノズルが同時に使用される場合には、表示装置の表示スペースが足りなくなって、表示文字を小さくして表示される情報量を増やすことになる。そのため、給油中の給油ノズル数が増えるほど、表示スペースが小さくなって表示画面がみづらいといった問題が生じる。
【０００７】
そこで、本発明は上記事情に鑑み、上記課題を解決した燃料供給情報設定装置及び燃料供給システムを提供することを目的とする。
【課題を解決するための手段】
【０００８】
上記課題を解決するため、本発明は以下のような手段を有する。
【０００９】
本発明は、複数のノズルから燃料を供給する際の燃料供給情報を表示する表示装置と、該表示装置に表示される表示画面に応じて各ノズル毎の供給すべき燃料供給情報の入力操作を行う入力手段とを有する燃料供給情報設定装置において、前記燃料供給情報の設定操作が完了したとき、前記表示画面に選択された当該ノズルの表示釦に当該ノズルに対応する燃料供給情報を略称で表示する表示制御手段を有することにより、上記課題を解決するものである。
本発明は、前記表示制御手段が、設定操作が行なわれていないノズルの表示釦に燃料名のみを表示し、設定操作が完了した時点で前記燃料名を前記略称に切り替えることにより、上記課題を解決するものである。
本発明は、前記請求項１または２に記載の燃料供給情報設定装置と、前記燃料供給情報設定装置により設定された燃料供給情報に基づいて選択されたノズルによる燃料供給を可能にする燃料供給装置と、を備えたことにより、上記課題を解決するものである。
【発明の効果】
【００１０】
本発明によれば、燃料供給情報の設定操作が完了したとき、表示画面に選択された当該ノズルの表示釦に当該ノズルに対応する燃料供給情報を略称で表示するため、少ない表示スペースに各ノズル毎に設定された燃料供給情報を全て表示することが可能になり、全てのノズルの状態をコンパクトに表示して確認することが可能になる。
【発明を実施するための最良の形態】
【００１１】
以下、図面を参照して本発明を実施するための最良の形態について説明する。
【実施例１】
【００１２】
図１は本発明による燃料供給情報設定装置の一実施例が用いられた燃料供給システムを示す斜視図である。図１に示されるように、燃料供給システム１０は、例えば、多数のトラック２０を所有する運送会社の敷地に設置されている。この給油システム１０は、地下に埋設された地下タンク３０と、地下タンク３０からの給油配管４０が接続された給油装置５０と、給油装置５０の近傍に設置された設定装置（燃料供給情報設定装置）６０とから構成されている。
【００１３】
給油装置５０は、給油ホース５４を介して複数の給油ノズル５２が接続されており、例えば、軽油用あるいはレギュラーガソリン用の給油ノズルが設けられている。また、給油装置５０は、設定装置６０の制御装置と接続されており、後述するように設定装置６０において設定操作が完了すると、設定された条件（選択された油種の給油ノズル、給油量）に基づいて給油が許可される。
【００１４】
また、トラック２０の運転者は、給油すべき油種、給油量を各給油ノズル５２に対応させて設定装置６０による設定操作を行なってから給油ノズル５２を用いた給油操作を行なう。尚、図１においては、１台の給油装置５０しか表示していないが、設定装置６０により複数の給油装置５０に対する設定操作を行なうことも可能である。また、給油装置５０では、異なる油種を供給する複数の給油ノズル５２を有する構成としても良いし、あるいは同じ油種を供給する複数の給油ノズル５２を有する構成としても良い。
【００１５】
図２は設定装置６０を拡大して示す正面図である。図２に示されるように、設定装置６０は、筐体７０の内部に制御装置(図２中、破線で示す)８０が収納されており、筐体７０の前面７２にはタッチパネル方式の液晶モニタ（表示装置）９０と、カードリーダ１００と、レシート発行機１１０とが設けられている。液晶モニタ９０は、タッチパネル方式の画面を有するため、操作者に対して操作手順をガイダンスしながら設定内容を表示する表示装置と、運転者が表示画面に触れることにより設定情報を入力する入力装置とを兼ねている。
【００１６】
カードリーダ１００は、各運転者あるいは各車両毎に発行された磁気カードが挿入されるスリット１０２を有し、磁気カードがスリット１０２に通されると磁気カードに記録された識別データを読み取る磁気ヘッドを有する。
【００１７】
レシート発行機１１０は、給油が終了すると、給油された日時、油種、給油量、カード番号などを印字したレシートを発行する。
【００１８】
ここで、制御装置８０が実行する制御処理について図３に示すフローチャートを参照して説明する。尚、図３の各処理を説明する中で参照すべき液晶モニタ９０に表示される表示画面の表示例を図４Ａ〜図４Ｆに示す。
【００１９】
制御装置８０は、図３に示すＳ１１で初期画面２００を表示する（図４Ａ参照）。この初期画面２００には、各給油ノズルに対応するノズル番号０１〜０８と、各給油ノズルにより給油される油種名が表示された油種釦２１１〜２１８とが表示されている。さらに、初期画面２００の上部に形成されたガイダンス領域２０９には、「カードを読み込ませて下さい」といったメッセージが表示される。このメッセージを呼んだ運転者は、会社から発行されたＩＤカードをカードリーダ１００に通して、ＩＤカードに記憶された識別データを読み込ませる。
【００２０】
また、図４Ａにおいて、初期画面２００では、油種釦２１１〜２１８のそれぞれにハイオク、レギュラー、軽油、灯油、重油、オイル、ハイオク軽油等の正式な油種名が表示される。また、油種釦２１１〜２１８に対応する各ノズル番号０１〜０８の表示欄は、給油中であるノズルについてハイライト表示（例えば、給油中のノズル番号欄を明るく発光させたり、あるいは赤色や橙色等の目立つ色で表示））を行ないます。
【００２１】
次のＳ１２において、カードリーダ１００で読み込まれたＩＤカードの識別データ（ＩＤデータ）が正規のデータか否かをチェックする。Ｓ１２でＩＤカードの識別データ（ＩＤデータ）が正規のデータであるときは（ＹＥＳの場合）、Ｓ１３に進み、液晶モニタ９０にノズル選択画面２１０を表示する（図４Ｂ参照）。尚、Ｓ１２でＩＤカードの識別データが未登録のものであるとき（ＮＯの場合）、あるいはカードリーダ１００がＩＤカードのデータを読み取れないときは、Ｓ１１に戻り、Ｓ１１の処理を再度行なう。
【００２２】
このノズル選択画面２１０には、上記初期画面２００と同様に、各給油ノズルに対応するノズル番号０１〜０８と、各給油ノズルにより給油される油種名とが表示されている。さらに、ノズル選択画面２１０の上部に形成されたガイダンス領域２０９には、「ノズルを選択して下さい」といったメッセージが表示される。この場合、液晶モニタ９０の画面がタッチパネルであるので、ノズル番号０１〜０８の中から未使用のノズルで給油可能な油種が当該車両のエンジン仕様に合った油種であることを確認した上でノズル選択画面２１０のノズル番号０１〜０８または油種名が表示された油種釦２１１〜２１８内を指先で触れることによりノズル選択が行える。尚、図４Ｂに示すノズル選択画面２１０では、ノズル番号０１〜０８の全てが未使用となっている。
【００２３】
次のＳ１４において、現在未使用である給油ノズルが選択されたか否かをチェックしており、未使用である給油ノズルが選択された場合（ＹＥＳの場合）はＳ１５に進む。また、使用中である給油ノズルが選択された場合（ＮＯの場合）、あるいはノズル選択が行なわれないときは、上記Ｓ１３に戻り、液晶モニタ９０にノズル選択画面２１０を表示させる。
【００２４】
次のＳ１５では、液晶モニタ９０に給油量選択画面２２０を表示する（図４Ｃ参照）。給油量選択画面２２０のガイダンス領域２０９には、「給油量を選択して下さい」といったメッセージが表示される。さらに、給油量選択画面２２０には、１００Ｌ（リットル）選択釦２２１、５０Ｌ（リットル）選択釦２２２、４０Ｌ（リットル）選択釦２２３、１０Ｌ（リットル）選択釦２２４、満タン給油選択釦２２５、取消釦２２６，任意の数値を入力するための給油量入力釦２２７が表示される。
【００２５】
給油量選択画面２２０による給油量の選択方法としては、所定の数量を選択する１００Ｌ（リットル）選択釦２２１、５０Ｌ（リットル）選択釦２２２、４０Ｌ（リットル）選択釦２２３、１０Ｌ（リットル）選択釦２２４をオンに操作する方法と、満タン給油選択釦２２５をオンに操作して給油ノズル５２の自動閉弁機構を用いた満タン給油と、給油量入力釦２２７をオンに操作して希望する数量を入力する方法とがある。
【００２６】
次のＳ１６では、所定の数量釦２２１〜２２４の何れかがオンに操作されたか否かをチェックする。Ｓ１６において、所定の数量釦２２１〜２２４の何れも選択操作されていないとき（ＮＯの場合）は、Ｓ１７に進み、満タン給油選択釦２２５をオンに操作したか否かをチェックする。Ｓ１７において、満タン給油選択釦２２５がオンに操作されていないとき（ＮＯの場合）は、Ｓ１８に進み、給油量入力釦２２７がオンに操作されたか否かをチェックする。Ｓ１８において、給油量入力釦２２７がオンに操作されないとき（ＮＯの場合）はＳ１５に戻り、Ｓ１５以降の処理を再度行なう。
【００２７】
また、上記Ｓ１６において、所定の数量釦２２１〜２２４の何れかがオンに操作されたとき（ＹＥＳの場合）は、Ｓ１９に進み、選択された当該ノズル番号に対応する油種名を略称で表示すると共に、選択された給油量を表示する油種・給油量確認画面２３０を液晶モニタ９０に表示する（図４Ｄ参照）。
【００２８】
油種・給油量確認画面２３０は、選択されたノズル番号の油種名と給油量を表示する表示窓２３２を表示する。表示窓２３２には、例えば、ハイオクガソリン１００Ｌが選択された場合、「ハイオク（ＨＧ）１００Ｌでよろしいですか」といったメッセージと、「はい」を選択するはい釦２３４と「いいえ」を選択するいいえ釦２３６とが表示される。このように、油種・給油量確認画面２３０においては、「ハイオク（ＨＧ）１００Ｌ」と表示することにより、ＨＧがハイオクガソリンを示すことを示唆する。
尚、ハイオクガソリンの略称は「ＨＧ」、レギュラーガソリンの略称は「ＬＧ」、軽油（ディーゼル）の略称は「Ｄ」、灯油（ケロシン）の略称は「Ｋ」として表示する。
【００２９】
次のＳ２０において、はい釦２３４がオンに操作されたか否かをチェックする。Ｓ２０ではい釦２３４がオンに操作されないとき（ＮＯの場合）は、Ｓ２１に進み、いいえ釦２３６がオンに操作されたか否かをチェックする。Ｓ２１でいいえ釦２３６がオンに操作されないとき（ＮＯの場合）は、上記Ｓ１９に戻り、Ｓ１９以降の処理を再度行なう。
【００３０】
また、Ｓ２０において、はい釦２３４がオンに操作されたとき（ＹＥＳの場合）は、Ｓ２２に進み、設定内容画面２４０を液晶モニタ９０に表示する（図４Ｅ参照）。設定内容画面２４０では、設定操作が完了したノズル番号の表示欄をハイライト表示（例えば、明るく発光させたり、あるいは赤色や橙色等の目立つ色で表示）して使用中であることを他の操作者に報知すると共に、油種名の代わりに油種釦２１１に「ＨＧ：４０Ｌ」を表示して設定された油種がハイオクガソリンで、設定された給油量が４０リットルであることを報知する。
【００３１】
上記図４Ｅにおいて、例えば、設定された油種や給油量を油種釦２１１〜２１８とは別の領域に表示しようとすると、油種釦２１１〜２１８を小さく表示し、且つ設定情報も小さく表示することになるため、油種釦２１１〜２１８が操作しづらくなると共に全体に文字が小さく表示されて見づらくなってしまう。
【００３２】
しかしながら、本実施例の上記設定内容画面２４０においては、油種釦２１１〜２１８が設定情報の表示欄を兼用することになり、液晶モニタ９０を大型化せずに、複数のノズルの全ての情報を表示すると共に、設定された設定情報も併せて表示することが可能になる。これにより、本実施例では、油種釦２１１〜２１８のスペースに設定情報を略して表示するため、広いスペースがなくても必要な設定情報を限られたスペースに表示することが可能になる。また、油種釦２１１〜２１８が小さく表示されないため、設定情報を表示することによって油種釦２１１〜２１８の操作性が低下することが防止される。
【００３３】
また、上記Ｓ２１において、いいえ釦２３６がオンに操作されたとき（ＹＥＳの場合）は、上記Ｓ１５の処理に戻り、Ｓ１５以降の処理を再度行なう。また、上記Ｓ１７において、満タン給油選択釦２２５がオンに操作されたとき（ＹＥＳの場合）は、上記Ｓ１９に進み、選択された当該ノズル番号に対応する油種名を略称で表示すると共に、給油量を表示する油種・給油量確認画面２３０を液晶モニタ９０に表示する（図４Ｄ参照）。その際、油種・給油量確認画面２３０には、給油量の代わりに「満タン給油」が表示される。
【００３４】
また、上記Ｓ１８において、給油量入力釦２２７がオンに操作されたときは、Ｓ２４に進み、給油量入力画面２５０を液晶モニタ９０に表示させる（図４Ｆ参照）。給油量入力画面２５０のガイダンス領域２０９には、「給油量を入力して下さい」といったメッセージが表示される。また、給油量入力画面２５０には、任意の給油量の数値を入力するためのテンキー２５２と、入力した数値を表示する数値表示部２５４と、入力した数値をクリアするためのクリア釦２５６と、入力した数値が正しい場合に操作される決定釦２５８とが表示される。
【００３５】
次のＳ２５において、テンキー２５２の操作により数値が入力され、決定釦２５８がオンに操作されると、上記Ｓ１９に移行して選択された当該ノズル番号に対応する油種名を略称で表示すると共に、給油量を表示する油種・給油量確認画面２３０を液晶モニタ９０に表示する（図４Ｄ参照）。これにより、操作者が希望する任意の給油量をプリセット値として設定することができる。
【産業上の利用可能性】
【００３６】
尚、上記実施例では、ガソリンや軽油などの油液を給油する給油システムを例に挙げて説明したが、これに限らず、これ以外の燃料（例えば、ＣＮＧ，ＬＮＧ，ＬＰＧ、水素など）を供給する燃料供給システムにも本発明を適用することができるのは勿論である。
また、上記実施例では、設定装置６０が給油装置５０と別体に設けられた構成を例示したが、これに限らず、給油装置５０の筐体に設定装置６０が収納された一体構造とされたものにも本発明が適用することができるのは、勿論である。
【図面の簡単な説明】
【００３７】
【図１】本発明による燃料供給情報設定装置の一実施例が用いられた燃料供給システムを示す斜視図である。
【図２】設定装置６０を拡大して示す正面図である。
【図３】制御装置８０が実行する制御処理を説明するためのフローチャートである。
【図４Ａ】初期画面２００の表示例を示す図である。
【図４Ｂ】ノズル選択画面２１０の表示例を示す図である。
【図４Ｃ】給油量選択画面２２０の表示例を示す図である。
【図４Ｄ】油種・給油量確認画面２３０の表示例を示す図である。
【図４Ｅ】設定内容画面２４０の表示例を示す図である。
【図４Ｆ】給油量入力画面２５０の表示例を示す図である。
【符号の説明】
【００３８】
１０  燃料供給システム
２０  トラック
３０  地下タンク
５０  給油装置
５２  給油ノズル
５４  給油ホース
６０  設定装置
８０  制御装置
９０  液晶モニタ
１００  カードリーダ
２００  初期画面
２０９  ガイダンス領域
２１０  ノズル選択画面
２１１〜２１８  油種釦
２２０  給油量選択画面
２２１〜２２４  数量釦
２２５  満タン給油選択釦
２２７  給油量入力釦
２３０  油種・給油量確認画面
２４０  設定内容画面
２５０  給油量入力画面
【図１】
2008308209.tif 000003
【図２】
2008308209.tif 000004
【図３】
2008308209.tif 000005
【図４Ａ】
2008308209.tif 000006
【図４Ｂ】
2008308209.tif 000007
【図４Ｃ】
2008308209.tif 000008
【図４Ｄ】
2008308209.tif 000009
【図４Ｅ】
2008308209.tif 000010
【図４Ｆ】
2008308209.tif 000011